(57)【要約】【課題】  一人の作業で戸袋部の高さ調整作業がきわめて簡単に行え、また、床パンや壁パネルを損傷するおそれがない。【解決手段】  浴室ユニット１に設けた出入り口枠２を浴室ユニット１の壁を構成する壁パネル７に連結固定する。出入り口枠２の脱衣室３側の端部に、引戸４を移動自在に取付ける引戸枠部５を設ける。引戸枠部５を、上記出入り口枠２と対応する出入り部６と、該出入り部６に連続して壁パネル７の背面側と小間隙８を介して対向する戸袋部９とで構成する。戸袋部９に固着具１０で一端部の縦片１１を取付けた調整金具１２の他端部の横片１３に螺合した調整ねじ１４の下端部を、床パン１５と壁パネル７とを連結固定する壁パネル固定部材１６上に載置する。調整ねじ１４の回転調整により戸袋部９を高さ調整自在とする。【選択図】        図１
2010031528.tif 000002
【特許請求の範囲】
【請求項１】
浴室ユニットに設けた出入り口枠を浴室ユニットの壁を構成する壁パネルに連結固定し、該出入り口枠の脱衣室側の端部に、引戸を移動自在に取付ける引戸枠部を設け、該引戸枠部を、上記出入り口枠と対応する出入り部と、該出入り部に連続して壁パネルの背面側と小間隙を介して対向する戸袋部とで構成し、戸袋部に固着具で一端部の縦片を取付けた調整金具の他端部の横片に螺合した調整ねじの下端部を、床パンと壁パネルとを連結固定する壁パネル固定部材上に載置し、調整ねじの回転調整により戸袋部を高さ調整自在として成ることを特徴とする浴室ユニットの戸袋部の高さ調整構造。
【請求項２】
台形板状をした中央片の両側の斜辺を介してそれぞれ中央片の片面側に突出する固定片を連設すると共に、各固定片の片面と中央片の片面とが直角となり、両固定片にそれぞれ、固着具を挿入することができる挿入孔と、調整ねじを螺合することができるねじ孔とを設けて上記調整金具を構成し、両固定片のうち一方を水平姿勢にして横片とした際に、他方が縦片となることを特徴とする請求項１記載の浴室ユニットの戸袋部の高さ調整構造。
【発明の詳細な説明】
【技術分野】
【０００１】
本発明は、浴室ユニットの戸袋部の高さ調整構造に関するものである。
【背景技術】
【０００２】
従来から、浴室ユニットに設けた出入り口枠の脱衣室側の端部に、引戸を移動自在に取付ける引戸枠部を設け、該引戸枠部を、上記出入り口枠と対応する出入り部と、該出入り部に連続して壁パネルの背面側と小間隙を介して対向する戸袋部とで構成したものが特許文献１により知られている。
【０００３】
上記特許文献１に示された浴室ユニットは、現場で組み立てる際、引戸枠部をスラブ上に設置したアジャスターボルトの上端部に設けた受け金具に支持固定し、アジャスターボルトを高さ調整することで、引戸枠部の高さ調整をし、更に、受け金具の縦片を浴室ユニットの床パンを載置する架台の側面に固着具により固着するようにしている。
【０００４】
このように、特許文献１においては浴室ユニットを現場で組み立て形成する際に、引戸枠部の位置調整を行うことができるようになっている。
【０００５】
ところが、浴室ユニットは、上記のように現場で組み立て、戸袋部を浴室ユニットに連結固定した後、浴室と脱衣室との間の間仕切り壁を形成するのであるが、引戸枠部の戸袋部が出入り部よりも少しでもレベルが低くなっていると、引戸に付着して引戸枠部に流れた水が戸袋部に溜まってしまうという問題がある。
【０００６】
そこで、上記特許文献１においては、間仕切り壁を形成する際に、戸袋部が出入り部よりも少しでもレベルが低くなっていると、引戸枠部の下にもぐりこんで、アジャスターボルトを操作して戸袋部が出入り部よりも僅かに高くなるように微小な高さ調整を行わなければならない。この場合、例えば、戸袋部の上に水準器を置いて戸袋部が出入り部よりも少しでも高くなったか否かを確認するのであるが、引戸枠部の下にもぐりこんで、アジャスターボルトを操作する作業と、戸袋部の上に載置した水準器を見てアジャスターボルトによる調整の結果を確認する作業とを同時に行うことができず、一人で作業する場合にはきわめて煩雑な作業となる。
【０００７】
また、従来にあっては、受け金具の縦片を浴室ユニットの床パンを載置する架台の側面に固着具により固着するので、縦片の固着位置である架台が戸袋部の下レール部よりも上に位置するものであり、このため、バリアフリーのように、出入り口枠のレベルが床パンと略同じものの場合、架台が戸袋部の下レール部よりも下に位置するものであり、縦片を架台に固定することができない。このような場合は、縦片を架台に載置する床パンや壁パネルに当てて固着具で固着する必要があるが、背面側から床パンや壁パネルをねじ込むと、床パンや壁パネルを損傷するおそれがあって好ましくない。
【特許文献１】特開平１０−８８３４号公報
【発明の開示】
【発明が解決しようとする課題】
【０００８】
本発明は上記の従来の問題点に鑑みて発明したものであって、一人の作業で戸袋部の高さ調整作業がきわめて簡単に行え、また、床パンや壁パネルを損傷するおそれがない浴室ユニットの戸袋部の高さ調整構造を提供することを課題とするものである。
【課題を解決するための手段】
【０００９】
上記課題を解決するために本発明に係る浴室ユニットの戸袋部の高さ調整構造は、浴室ユニット１に設けた出入り口枠２を浴室ユニット１の壁を構成する壁パネル７に連結固定し、該出入り口枠２の脱衣室３側の端部に、引戸４を移動自在に取付ける引戸枠部５を設け、該引戸枠部５を、上記出入り口枠２と対応する出入り部６と、該出入り部６に連続して壁パネル７の背面側と小間隙８を介して対向する戸袋部９とで構成し、戸袋部９に固着具１０で一端部の縦片１１を取付けた調整金具１２の他端部の横片１３に螺合した調整ねじ１４の下端部を、床パン１５と壁パネル７とを連結固定する壁パネル固定部材１６上に載置し、調整ねじ１４の回転調整により戸袋部９を高さ調整自在として成ることを特徴とするものである。
【００１０】
このような構成とすることで、浴室ユニット１を現場で組み立てた後、戸袋部９が出入り部６よりもレベルが低い場合ことが判ったような場合、戸袋部９に水準器を置いて、水準器をみながら調整ねじ１４を操作することで、簡単に戸袋部９の高さ調整ができ、戸袋部９を出入り部６に対して０〜１ｍｍ高くなるように調整することができる。
【００１１】
また、台形板状をした中央片１７の両側の斜辺１９を介してそれぞれ中央片１７の片面側に突出する固定片２０を連設すると共に、各固定片２０の片面と中央片１７の片面とが直角となり、両固定片２０にそれぞれ、固着具１０を挿入することができる挿入孔２１と、調整ねじ１４を螺合することができるねじ孔２２とを設けて上記調整金具１２を構成し、両固定片２０のうち一方を水平姿勢にして横片１３とした際に、他方が縦片１１となることが好ましい。
【００１２】
このような構成とすることで、出入り部６の一端部側に戸袋部９がある場合と、出入り部６の他端部側に戸袋部９がある場合とで、両固定片２０のうちどちらを水平姿勢にして横片１３とするかを選択することで、いずれの場合にも同一種類の調整金具１２を用いて高さ調整ができる。
【発明の効果】
【００１３】
本発明は、上記のように構成したので、調整ねじを操作することで、戸袋部の高さ調整ができ、この場合、戸袋部に水準器を置いて、水準器を見ながら調整ねじを操作することで、一人作業で、簡単に戸袋部の高さ調整ができる。また、横片に螺合した調整ねじの下端部を、床パンと壁パネルとを連結固定する壁パネル固定部材上に載置し、調整ねじの回転調整するものであるから、床パンや壁パネルを損傷することがなく、したがって、床パンや壁パネルの損傷部分から水漏れが生じたりするおそれもない。
【００１４】
また、調整金具が、台形板状をした中央片の両側の斜辺を介してそれぞれ中央片の片面側に突出する固定片を連設すると共に、各固定片の片面と中央片の片面とが直角となり、両固定片にそれぞれ、固着具を挿入することができる挿入孔と、調整ねじを螺合することができるねじ孔とを設けて構成することで、出入り部の一端部側に戸袋部がある場合と、出入り部の他端部側に戸袋部がある場合のいずれの場合も、同一種類の調整金具を用いて高さ調整ができる。
【発明を実施するための最良の形態】
【００１５】
以下、本発明を添付図面に示す実施形態に基いて説明する。
【００１６】
浴室ユニット１は、床パン１５の外端部に壁パネル７を立設し、更に出入り口となる部分に、出入り口枠２を配設し、該出入り口枠２の両端部を隣接する壁パネル７に連結具（図示せず）を介して連結固着してある。
【００１７】
出入り口枠２は図４に示すようなもので、出入り口枠２の脱衣室３側の端部に、引戸４を移動自在に取付ける引戸枠部５が設けられる。
【００１８】
引戸枠部５は出入り口枠２と対応する出入り部６と、該出入り部６に連続して壁パネル７の背面側と小間隙８を介して対向する戸袋部９とで構成してある。引戸枠部５の下横枠５ａには下レール２５が設けてあり、引戸枠部５の上横枠５ｂには上レール（図示せず）が設けてあり、上下レールに沿って引戸４が走行するようになっている。
【００１９】
戸袋部９の壁パネル７側の端部は、下横枠５ａ、上横枠５ｂ、縦枠５ｃ、方立５ｄにより囲まれた開口部２６となっており、上記下横枠５ａ、上横枠５ｂ、縦枠５ｃ、方立５ｄから開口部２６の周囲に戸袋パネル受け片２７を突設してある。
【００２０】
また、引戸枠部５の脱衣室側端部には脱衣室開口枠２８に固定するための固定用突片２９が設けてある。
【００２１】
調整金具１２は、図５に示すようなもので、台形板状をした中央片１７の両側の斜辺１９を介してそれぞれ中央片１７の片面側に突出する固定片２０を連設すると共に、各固定片２０の片面と中央片１７の片面とが直角となり、両固定片２０にそれぞれ、固着具１０を挿入することができる挿入孔２１と、調整ねじ１４を螺合することができるねじ孔２２とを設けて構成してある。
【００２２】
上記調整金具１２は、出入り口枠２を床パン１５の端部に立設すると共に隣接する壁パネル７に連結固着する作業に先立って、上記調整金具１２の一方の固定片２０を垂直に起立させて縦片１１とした状態で、該縦片１１を戸袋部９の縦枠５ｃの背面に当接して該縦片１１に設けた挿入孔２１にビスのような固着具１０を挿入して固着しておく。この場合、調整金具１２の他端部の固定片２０が水平姿勢となって、この水平な固定片２０が横片１３を構成する。
【００２３】
このように、調整金具１２を固着した状態で、出入り口枠２を立設して隣接する壁パネル７と連結固着すると、戸袋部９が隣接する壁パネル７の背面側と小間隙８を介して対向し、また、調整金具１２の他端部の横片１３を構成する固定片２０が、床パン１５と壁パネル７とを連結固定する壁パネル固定部材１６の上方に少し隙間を介して位置する。
【００２４】
壁パネル固定部材１６は、例えは、図３に示すようなもので、逆Ｕ字状をした嵌め込み部３０の前面側に壁パネル７の背面側下端部に取付けられる壁パネル取付け部３１を設けたもので、床パン１５の外周端部の立ち上がり片３４の上端部に設けた壁パネル載置片３２に載設する壁パネル７の背面側下端部に壁パネル取付け部３１を取付け、嵌め込み部３０を床パン１５の壁パネル載置片３２の外端部に上方に向けて突設した水返し片３３に上方から嵌め込むことにより、床パン１５と壁パネル７とを連結固着するようになっている。
【００２５】
そして、調整金具１２の横片１３が、上記壁パネル固定部材１６の逆Ｕ字状をした嵌め込み部３０の上面の上方に位置する。もちろん、床パン１５と壁パネル７とを連結固着するための壁パネル固定部材１６としては、図３に示すものにのみ限定されず、従来から公知の種々の形態の壁パネル固定部材１６が使用できるが、この壁パネル固定部材１６は、後述のように、調整ねじ１４の下端が当接できるように少なくとも壁パネル７の下部の背方に突出して露出する部分を備えているものが用いられる。
【００２６】
調整金具１２の横片１３となる他方の固定片２０に設けたねじ孔２２に調整ねじ１４を螺合し、該調整ねじ１４の下端部を上記壁パネル固定部材１６の逆Ｕ字状をした嵌め込み部３０の上面に当接する。
【００２７】
この状態で、下横枠５ａの戸袋部９部分上に水準器を置き、調整ねじ１４を上方からドライバーなどの治具を用いて回転操作することで、水準器を見ながら、下横枠５ａの戸袋部９部分が出入り部６よりも０〜１ｍｍ高くなるように調整する。この場合、水準器の気泡がセンターに位置するか又はセンターよりも僅かに出入り部６側にずれることで、下横枠５ａの戸袋部９部分が出入り部６よりも０〜１ｍｍ高くなったことが判る。また、高さ調整作業においては、従来のアジャスターボルトを調整するもののように、引戸枠部５の下にもぐって高さ調整作業を行う必要がなく、一人の作業者が水準器を見ながら上方から調整ねじ１４を回転操作することで簡単に高さ調整を行うことができる。また、調整ねじ１４は床パン１５や壁パネル７にねじ込むものでないので、床パン１５や壁パネル７を損傷することがない。
【００２８】
上記戸袋部９の調整は、浴室ユニット１を現場で組み立てた後、行うものであり、このように戸袋部９の高さ調整をおこなって、戸袋部９側を出入り部６よりも０〜１ｍｍ高くした状態で、間仕切り壁３５を形成する工事を行って、引戸枠部５に設けた固定用突片２９を間仕切り壁３５に形成する脱衣室開口枠２８に固着具を用いて固着する。
【００２９】
また、戸袋部９の開口部２６には戸袋パネル３６を配置して戸袋パネル受け片２７に固着具により固着する。
【００３０】
上記のように構成することで、本発明においては、引戸４にかかった水が戸袋部９側において下方に垂れて下横枠５ａ上に流れても、下横枠５ａの戸袋部９側から出入り部６側に流れ、出入り部６から出入り口枠２を経て床パン１５側に流れることになって、下横枠５ａの戸袋部９部分に水が溜まることがない。
【００３１】
また、本発明においては、調整金具１２を、台形板状をした中央片１７の両側の斜辺１９を介してそれぞれ中央片１７の片面側に突出する固定片２０を連設すると共に、各固定片２０の片面と中央片１７の片面とが直角となり、両固定片２０にそれぞれ、固着具１０を挿入することができる挿入孔２１と、調整ねじ１４を螺合することができるねじ孔２２とを設けて構成したものである。このため、出入り部６の一端部側に戸袋部９がある場合と、出入り部６の他端部側に戸袋部９がある場合とで、両固定片２０のうちどちらを水平姿勢にして横片１３とするかを選択することで、いずれの場合にも同一種類の調整金具１２を用いて高さ調整ができる。
【００３２】
図２は、脱衣室側から見て出入り部６の左端部側に戸袋部９がある場合を示しているが、図６のように、脱衣室側から見て出入り部６の右端部側に戸袋部９がある場合は、調整金具１２の上記横片１３となっていた他方の固定片２０が垂直となる姿勢にしてこれを新たな縦片１１として、戸袋部９の縦枠５ｃの背面に当接して挿入孔２１から固着具１０を挿入して固着し、上記縦片１１となっていた一方の固定片２０が水平となる姿勢にしてこれを新たな横片１３としてねじ孔２２に調整ねじ１４を螺合するものであり、該調整ねじ１４を操作して前述と同様にして戸袋部９の高さ調整をする。
【図面の簡単な説明】
【００３３】
【図１】本発明の一実施形態の平断面図である。
【図２】同上の図１のＡ部の拡大平断面図である。
【図３】同上の図１のＡ部の断面図である。
【図４】同上の引戸枠部を設けた出入り口枠の斜視図である。
【図５】同上に用いる調整金具を示し、（ａ）は斜視図であり、（ｂ）は正面図であり、（ｃ）は平面図であり、（ｄ）は側面図である。
【図６】同上の他の例の拡大平断面図である。
【符号の説明】
【００３４】
１  浴室ユニット
２  出入り口枠
３  脱衣室
４  引戸
５  引戸枠部
６  出入り部
７  壁パネル
８  小間隙
９  戸袋部
１０  固着具
１１  縦片
１２  調整金具
１３  横片
１４  調整ねじ
１５  床パン
１６  壁パネル固定部材
【図１】
2010031528.tif 000003
【図２】
2010031528.tif 000004
【図３】
2010031528.tif 000005
【図４】
2010031528.tif 000006
【図５】
2010031528.tif 000007
【図６】
2010031528.tif 000008